(57)【特許請求の範囲】
【請求項１】
文書画像上に透かし画像を配置する装置であって、
各画素についてサイアン、マゼンタ、イエロー、及び黒の各色の画素データで構成される文書画像データと、前記文書像上に配置する透かし画像の、各画素についてサイアン、マゼンタ、イエロー、及び黒の各色の画素データで構成される透かし画像データと、透かし画像の各色について透明又は不透明を指示する情報及び前記透かし画像が配置される文書画像上の画素の位置の情報を含む透かし画像情報と、を記憶する記憶手段と、
前記記憶手段に記憶された前記文書画像データと、前記透かし画像データと、前記透かし画像情報とに基づいて、前記透かし画像が配置される文書画像上の各画素の位置において、（１）前記透かし画像において透明が指示された色がある場合には、当該透明が指示された色に対応する文書画像データの当該色の画素データを取得し、（２）前記透かし画像において不透明が指示された色がある場合には、当該不透明が指示された色に対応する文書画像データの当該色の画素データに代えて、前記透かし画像における当該不透明が指示された色の画素データを取得し、取得した画素データと前記文書画像データとから、前記透かし画像が配置される文書画像上の各画素の各色の画素データを決定する画像処理手段と、
を備えた文書画像上に透かし画像を配置する装置。
【請求項２】
前記透かし画像のサイアン及び黒について不透明が指示されかつ前記透かし画像のマゼンタ及びイエローについて透明が指示されたことを特徴とする請求項１に記載の文書画像上に透かし画像を配置する装置。
【請求項３】
前記透かし画像の全ての色について透明が指示されたことを特徴とする請求項１に記載の文書画像上に透かし画像を配置する装置。
【発明の詳細な説明】
【技術分野】
【０００１】
本発明は概して、文書内の特殊効果（透かしやグロスマークなど）のレンダリングに関する。より詳細には、本発明は、大部分の印刷システム内でレンダリングされる文書内に特殊効果を実現するために、setoverprint/setoverprintmode（セットオーバープリント／セットオーバープリントモード）機能、オブジェクト最適化レンダリング、及び／又はカラー操作を使用することに関する。
【背景技術】
【０００２】
透かしやグロスマークなどの特殊印刷効果は、印刷システムのユーザによる所望のオプションである。電子透かしは、品質を確認し、信頼性を確保する目的に役立つ。電子透かしは概して、肉眼では不可視である。これは画像全体にわたって自然に発生する変化に隠すことができる。電子透かしは、物理的にレンダリングする際に、印刷された文書上に置かれるデザイン又はパターンである。電子透かしは、パルプの層がまだ湿った状態であるときに、この層上で細く形成したり（ライン若しくはワイヤの透かし）、又は厚く形成したり（シャドー透かし）することによって作成される。
【０００３】
透かしと同様に、グロスマークは、例えば偽造を阻止するために固有の画像を文書に埋め込むことができる。グロスマーク印刷物に埋め込まれた情報、例えば印章又は日付は、傾けると光を受け、付加的及び個別の画像として見えることがある。しかしながら、埋め込み情報は、従来のコピー機やスキャナでは複製されることができない。グロスマーク技術は、文書上に同様の効果を生成するために使用されるホログラム及び他のラミネートにまさる２つの利点がある。即ち、グロスマーク・プロセスが更なる印刷ステップや費用の増加を必要としないこと、そして名称や日付、又はコードのような可変情報に対応することである。グロスマークを作成するディファレンシャル・グロス・パターンが第二世代のコピーで複製することができないので、このパターンは安全である。チケットのような高価品目、身分証明書及びその他の貴重な文書上に認証マークを付けるために使用することができる。
【０００４】
オブジェクト・オプティマイズ・レンダリング（ＯＯＲ）は、手組み印刷グラフィック・アート業界におけるように、個々のオブジェクト・タグ及びカラーの印刷特性の最適化を可能にするプリント・エンジンに対し、ラン・タグを含むページ画像を作成し、分解し、さらに出力するための方法を有し、マイクロコンピュータを使用してページ画像を作成するときに利用できる利点及び効率性を同時に維持する。こうしたページ画像は、ページ記述言語（ＰＤＬ）を使用して作成される。
【０００５】
今日では多くのＰＤＬが使用されている。最も有力な言語の２つは、アドビシステムズ社によるポストスクリプト（PostScript）及びＰＤＦである。すべてのＰＤＬは、それらが管理する印刷装置の特性に対応するためのメカニズムを提供する。これは、用紙サイズ、デュプレキシング、文書終了オプションなどの管理を含んでいる。実行する際、これは通常、装置特定言語拡張子を介して制御される。現代のＰＤＬは、フォント、国際照明委員会（International Color Consortium (ＩＣＣ））プロファイルなどのダウンロードを可能にする。
【０００６】
グロスマーク及び透かしなどの特殊効果を実現するための大部分の方法は複雑である。こうした効果をもたらすための簡略化された方法が必要とされている。
【発明の開示】
【発明が解決しようとする課題】
【０００７】
透かしやグロスマークなどの特殊効果を印刷された文書上に容易に生成可能にする方法を提供することが、本発明の特徴である。
【０００８】
本発明によると、透かし正射影領域とサンプル化画像、及びグロスマークなどの特殊効果は、ポストスクリプト・セットオーバープリント／セットオーバープリントモードの各オペレータ、及びオブジェクト最適化レンダリング（ＯＯＲ）が共に使用されるときに実現される。
【課題を解決するための手段】
【０００９】
本発明による方法は、特殊効果用のパラメータを決定するためにインタープリタを使用し、文書のオリジナル・オブジェクト上に特殊効果用のオブジェクト・パラメータをオーバーレイし、最上部のオブジェクトを最初にアドレス指定して意図するタグを備えたランを生成することによって、特殊効果用のオブジェクト・パラメータ及び文書のオリジナル・オブジェクトを平坦化し、特殊効果と共に使用するための意図するもの又は変更された色を導入し、ランを収集し、意図するタグを備えたランを描画することによって、描画された文書内で使用するためのグロスマーク及び透かしを含む特殊効果を生成するための印刷システムにおいて実行される。
【００１０】
本発明による方法は、アドビによるポストスクリプトのオペレータを用いて描画された文書においてグロスマーク及び透かしを含む特殊効果を作成する印刷システムで実行され。この方法は、特殊効果用のパラメータを決定するためにインタープリタを使用し、文書のオリジナル・オブジェクト上に特殊効果用のオブジェクト・パラメータをオーバーレイし、最上部オブジェクトがすべての不透明な分離を有するか否かを判断するとともに、最上部オブジェクトが不透明な分離を有するか否かを判断すると最上部オブジェクトからオブジェクトタイプに適切な意図するタグを備えたランを抽出しタグ付けすることと、上部及び下部のオブジェクトから色情報を抽出し特殊効果をもたらす少なくとも１つのプログラム可能な意図するタグを取り付けるランを作成することの少なくとも一方を実行し、ランを収集し、意図するタグを備えたランを描画する。
【００１１】
本発明によって提供される、描画された文書上に特殊効果を実現するのに適した印刷システムは、アドビによるポストスクリプトのセットオーバープリント及びセットオーバープリントモードの各動作と、オブジェクト最適化レンダリング（ＯＯＲ）の少なくとも１つの機能を提供するソフトウェアモジュールと、カラーイメージャとを含んでいる。積層オブジェクトからの分離がＯＯＲタグ及びカラー値の少なくとも１つの制御によって結合されて描画された文書上に特殊効果を実現する。
【発明を実施するための最良の形態】
【００１２】
通常では、特殊効果（例えば透かし）を実現するために、透かしに使用されるテキストの輪郭を描く境界画素のみを印刷された文書のコンテンツ上に描画されることになる。また、透かし入りのテキストは、通常の画像形成及び印刷に基づいて描画されないこともある。アドビ社ポストスクリプトのセットオーバープリント及びセットオーバープリントモードの各動作、イメージャ、及びオブジェクト最適化レンダリング（ＯＯＲ）技術は、サンプル画像領域をテキスト若しくはその他の意図するものとしてタグ付けしたり、又は色値を変化させたりすることによって透かし効果を実現するために組み合わせることができる。
【００１３】
オーバープリント・モードの態様に対するアドビ・システムズ社の定義は、以下の通りである。
ブール  セットオーバープリントモード−
グラフィックス状態のオーバープリントモードをブールにセットする。
オーバープリントが偽であるとき、このパラメータは効果がない。
このオーバープリントモードは、ネイティブ・デバイスＣＭＹＫ装置上に描画されるときデバイスＣＭＹＫ色空間内の色成分に対し０．０の色彩値の解釈に影響を及ぼす。オーバープリントモードが偽であり、オーバープリント・パラメータが真であるとき、オーバープリントは、ポストスクリプト言語基準、第３版セットオーバープリントに記載された同じ動作を有する。
オーバープリントが真のとき、たとえ新しい値が何であっても、各ソースカラー成分値は対応する装置着色剤に対して以前に描画された値と差し替える。
オーバープリントモード及びオーバープリントがともに真であるとき、ソースカラー成分に対する０．０の色彩値は以前に描画された色の対応成分を変化させないでおく。この動作は、「非ゼロ・オーバープリント」と呼ばれる。
【００１４】
好ましい実施の形態によると、積層オブジェクトからの分離がＯＯＲタグ及び色値への制御と組み合わされて特殊効果を実現する方法が述べられている。本実施の形態のメカニズムは、特定領域がそれらのＯＯＲタグを保持し、あるいはまたＯＯＲタグのプログラム化されたセットに透かし／グロスマーク効果を強制的に生成させるオプションを提供することがある。
【００１５】
図１のフローチャート１００を参照すると、このフローチャートは、セットオーバープリント若しくはセットオーバープリントモードの機能とともに収集されるオブジェクトに対し透かし、グロスマーク若しくは他のカスタム意図のタグを付加するために印刷システム内で実行できるステップを示している。ステップ１１０に示すように、インタープリタは、文書上のレンダリングに選択される特殊効果に対し、SetColor（セットカラー）及びMask（マスク）などのオブジェクト・パラメータを決定するために使用される。すべてのマスク動作は、セットカラーに先導される。特殊効果のマスク動作もまた、セットオーバープリント及び／又はセットオーバープリントモードのオペレータに先導される。マスク・パラメータは、MaskBox（マスクボックス）、MaskBitmap（マスクビットマップ）、及びMaskTrap（マスクトラップ）を含む。特殊効果に対するオブジェクト・パラメータは、ステップ１２０に示すように文書上にオーバーレイされる。ステップ１３０に示すように、オブジェクトの平坦化は、オブジェクトが最上部のオブジェクトをアドレス指定することから始まり、意図するタグを備えたランを生成する。ステップ１４０に示すように、特殊効果と共に使用するための意図するタグが導入される。ステップ１５０に示すように、意図するタグを備えたランが印刷システムによって描画される。
【００１６】
ポストスクリプトＰＤＬセットオーバープリント及びセットオーバープリントモードの各オペレータに先行される積層オブジェクト、及びゼロックス・ＣＩｍａｇｅｒ内のコードは、ＯＯＲタグを作成して特殊効果を実現することができる。このＣｉｍａｇｅｒがオーバープリント領域に対して使用することになる色値を変化させるためのタグ及びアルゴリズムは、印刷システムの構成パラメータ及びＧＵＩ制御を介してプログラム化できる。
【００１７】
特殊効果透かしは、写真画像の上にテキストを置き、（１）Ｃ＝０．０、Ｍ＝０．０、Ｙ＝０．０及びＫ＝０．０のテキストカラーデバイスＣＭＹＫ色彩値、及び（２）ポストスクリプト・オペレータ、セットオーバープリントとセットオーバープリントモードによって先行されるSetColor（セットカラー）及びテキスト配置を有することによって、実現することができる。セットオーバープリントモードの厳密な定義は、セットオーバープリントモードの結果が、「以前に描画された色の対応成分を変化させないでおき」、画像の上部にあるテキストが視覚的に見えなくなることを規定する。本実施の形態の特徴によれば、これらの領域がオブジェクトの平坦化の際に検出できることから、通常のイメージングにより該領域が完全に見えなくなるようなとき、これら領域に対するＯＯＲタグ及び／又は色値が変更され、可視できるようになる。
【００１８】
特殊効果テキスト「ＸＥＲＯＸ」を配置させる方法の簡単な例は、以下の通りである。
0004698535.tif 000002
【００１９】
オーバープリントモード及び「非ゼロ・オーバープリント」のアドビ社の厳密な定義によって、「（ＸＥＲＯＸ）show」ＰＤＬのテキストは見えなくなり、以前に配置された下方のグラフィックス・オブジェクトのみを示している。ＸＥＲＯＸのイメージャ及びＤｏｃｕＳＰ制御では、「ＸＥＲＯＸ」テキストは、テキスト領域内の意図するタグを変化させることがあり、図６に示すような特殊レンダリング効果を生じる結果になることがある。１つの例としては、この変更されたレンダリングの意図するものは、異なる色変換を介して色をパスするために使用されたり、又は強制的に新しい色にされることがある。別の例では、オーバープリント・テキスト／正射影オブジェクトの下にある画像の領域をそれぞれハーフトーン化させ、画像の残りに対してディファレンシャル・グロス（グロスマーク）を生じる結果になることがある。グロスマークの例において、この変更されたレンダリングを含んだラン及びピクセルはソフトウェア・ハーフトーン化アルゴリズムを介してパスされ、システム・ハーフトーンに対して最適グロス差をもたらすこともある。
【００２０】
本実施の形態は、「透明なテキスト」又は「透明な正射影」の例における用途のみに限定されない。本実施の形態は、セットオーバープリント・デバイスＮのすべての組み合わせ、及びセットオーバープリント−セットオーバープリントモードの組み合わせに適用でき、ここで、１、２、３又はすべての分離は「透明」である。これらの領域は、オブジェクトの平坦化によって検出され、必要に応じてレンダリングが意図するタグを変更させることができる。
【００２１】
特殊効果を駆動できるデバイスＮ色空間を使用するコードの例は、以下にイタリック体で示す。
0004698535.tif 000003
0004698535.tif 000004
【００２２】
上記のＰＤＬの結果は、「ＸＥＲＯＸ・ＷＡＴＥＲＭＡＲＫ」テキストのシアン及びイエローの分離をサンプル画像のマゼンタ及びブラックの分離と結合させることになる。オブジェクトの分離が結合されるところは、ゼロックスのイメージャによって認識することができ、結果としての製品用のＯＯＲ意図のタグは、システムの構成パラメータ若しくはＧＵＩ制御を介して、結果を構成し若しくは強制的に値にされるオブジェクトを評価して特殊効果を実現することによって、自動的に設定することができる。
【００２３】
ＯＯＲタグを変化させることに加えて、このＩＤメカニズムは、色値を領域内に変更させることができる。このことは、ＯＯＲタグを変化させるだけでは、所望の透かしを実現することができない場合や、新しいＯＯＲタグによる変化が十分でない場合に有用である。ＯＯＲタグ設定に加えて、あるいはＯＯＲ設定とは無関係に同じＰＤＬコードが使用され、色変化アルゴリズムがシステムの構成設定を介して選択され起動される。上記の例は、ベタのシアン・ボックス領域に付加されるゼロックス隠れ透かしでもよい。「透明な」非ゼロ・オーバープリント領域内のＯＯＲタグを変化させることによって実現される特殊効果は、周囲領域からの可視変化を十分に作り出せないこともある。シアン色値を変化させる単純なアルゴリズム、あるいは、すべてのシアン色値を最小プログラム値と最大プログラム値との範囲内で調整したり、シアン及び／又はＭ、Ｙ及びＫの各値を大幅に変化させることは、弱い透かし又は強い透かしを実現するために適用され得る。この方法はまた、セットオーバープリント「透明な」オブジェクトがそれらの領域に置かれる場合に、色付きのオブジェクトが置かれていないページの白色領域上に特殊効果透かしを形成することもできる。通常はトナーを含まない白色領域は、セットオーバープリント「透明な」オブジェクトの領域に最小レベルのシアン色を含むことがある。
【００２４】
実施の形態に従って、代替方法は、図２のフローチャート２００に示すように、セットオーバープリント及びセットオーバープリントモードなどのアドビ社のポストスクリプトのオペレータとともに収集されるオブジェクトに対する文書に対し透かし、グロスマーク、又は他のカスタム意図のタグを加えるための手段を取る。ステップ２１０に示すように、インタープリタは、特殊効果のためのパラメータを決定するために使用される。パラメータは、セットオーバープリント及び／又はセットオーバープリントモード・セットを備えたセットカラー（例えばデバイスＣＹＭＫ）又はセットカラー（デバイスＮ）を含むことができる。パラメータはまた、MaskBox、MaskBitmap、MaskTrapなども含むことができる。ステップ２２０に示すように、特殊効果のためのオブジェクト・パラメータは、文書のオリジナル・オブジェクト上にオーバーレイされる。ステップ２３０に示すように、最上部のオブジェクトがすべての不透明な分離を有するか否かが判断される。その最上部のオブジェクトがすべての不透明な分離を有すると判断された場合、ステップ２４０に示すように、オブジェクトタイプに適切な意図するタグを備えたランが最上部オブジェクトから抽出されタグ付けされる。しかしながら、ランは、ステップ２５０に示されるように上部及び下部のオブジェクトから色情報を抽出し、最上部オブジェクトがすべての不透明な分離を含まないと判断された場合に特殊効果を生成できる少なくとも１つのプログラム化意図のタグを取り付けることによって作成される。ステップ２６０に示すように、ランは次に収集され、ステップ２７０に示すように意図するタグによってレンダリングされる。
【００２５】
図３を参照すると、グラフ３００は、収集されたオブジェクトＡ乃至Ｃの通常の平坦化を示す例を図示し、これらオブジェクトはすべて不透明の分離点を有しそれぞれのランを有し、それらが上部オブジェクトであるときにすべての別個の色が収集される。ラン・セグメントに対応する意図するタグ１乃至３は、上部オブジェクトタイプからのものである。結果として収集されたランは、このグラフの下部近傍で番号３１０として示される。
【００２６】
図４を参照すると、グラフ４００は、デバイスＮカラー・パラメータとともに収集された上部オブジェクトＢが残りの別個の色を供給する下部のオブジェクトＡ及びＣを備えた別個の色のサブセットのみを提供することを示す例を図示している。ハイブリッド・ランと関連付けられるタグ１乃至３は、ランの種類の組み合わせによって構造が算出且つ付与され、又は、カラー・マージが実行された場合に特定の意図するタグのタイプに強制的にさせられることがある。この例における矢印４０５は、（ＣＹＭＫのうち）Ｃ及びＫのみが不透明であり、Ｍ及びＹが透明である上部オブジェクトＢがオブジェクトＡ及びＣからの分離値と結合されることがあることを示している。オブジェクトＢ及びＡの特徴が矢印４１５で示すように識別可能であり、結果として生じるタグは、プログラム可能であり、「視覚的に最良の」印刷結果又は特殊効果をもたらすことができる。オブジェクトＢ及びＣからの特徴もまた、矢印４２０で示すように識別可能であり、結果として生じるタグがプログラム可能であり、「視覚的に」最良の印刷結果又は特殊効果をもたらすことができる。結果として生じるラン４１０もまた、グラフの下部近傍に示される。
【００２７】
図５を参照すると、グラフ５００は、「透明な」オブジェクトＢ（例えば、画像、グラフィックス又はテキスト）が他のオブジェクトタイプＡ及びＣの上に置かれる特別な場合が発生することがある例を示している。透明なオブジェクトは、セットオーバープリント、セットオーバープリントモード、及びすべての分離点の色彩値が０．０であるデバイスＣＹＭＫカラーとともに収集されるオブジェクトであり、これは矢印５０５によって示される。ポストスクリプト「非ゼロ・オーバープリント」オブジェクトは見えなくなることになるが、この実施の形態では、平坦化されたランのカラー値はすべて下部のオブジェクトからのものであり、これらランに対応付けられるタグ１乃至３はプログラマブルであることもある。さらに、この実施の形態では、何かシステム構成のアルゴリズムを仮定すると、下部ランの色は変化することがある。オブジェクトＡからの特徴が矢印５１５で示されるように識別可能であり、結果として生じるタグはプログラム可能であり、特殊効果をもたらすことができる。オブジェクトＣからの特徴もまた、矢印５２０で示すように識別可能であり、結果として生じるタグがプログラム可能であり、特殊効果をもたらすこともできる。結果として生じるラン５１０は、グラフの下部近傍に示される。周囲の領域とは異なるようにハーフトーン化若しくはライン・スクリーニングされたり、又は色が変化したこれらの領域を有する印刷結果は、文書上／文書中に透かし又はグロスマークを実現することができる。
【００２８】
本明細書中に述べられた方法を使用することに基づく作業製品の例は、図６乃至図１１に示される。
【００２９】
図６を参照すると、セットオーバープリントモード「クリア（透明な）」が文字「ＸＥＲＯＸ」を付加するために使用される例が示されている。標準的なＯＯＲタグ（特殊効果は使用不可能）が付加され、ＰＤＬにおける分離において定義される色はない。テキストは、これらのパラメータを使用して描画された文書において見えなくなる。さらに図７を参照すると、同じテキスト（「ＸＥＲＯＸ」）が文書上の特殊効果として示され、セットオーバープリントモード「クリア」テキストが文書に付加され、カスタム・プログラマブルＯＯＲタグを含む。
【００３０】
図８を参照すると、セットオーバープリントモード「クリア」がテキスト「ＸＥＲＯＸ」を付加するために再び使用される例が示されている。標準的なＯＯＲタグ（特殊効果は使用不可能）が付加され、ＰＤＬにおける分離に定義される色はない。テキストは、これらのパラメータを使用して描画された文書において見えなくなる。さらに図９を参照すると、同じテキスト（「ＸＥＲＯＸ」）が文書上の特殊効果として示され、セットオーバープリントモード「クリア」テキストが文書に付加され、ＯＯＲタグへの変更に加えて、むしろカラー調整を含む。
【００３１】
図１０を参照すると、セットオーバープリントモード「クリア」テキストと標準的なＯＯＲタグが付加されたスポーツカーの写真が示されている。図６及び図８と同様に、クリア・テキストは、描画された写真では見えなくなる。しかしながら、図１１は、カスタム・プログラマブル・タグが付加されたセットオーバープリントモード「クリア」テキストが、結果として車の画像上／画像内にテキスト「ＸＥＲＯＸ」を印刷することになる例を示している。こうした領域におけるＯＯＲタグ及び結果として生じるハーフトーンに対し調整を行なった。
【００３２】
実施の形態を実行するために必要なシステムは簡単である。図１２を参照すると、システムアーキテクチャ１２００が示されている。このシステムは、アドビ社のポストスクリプト・セットオーバープリント及びセットオーバープリントモードの各動作と、オブジェクト最適化レンダリング（ＯＯＲ）の少なくも１つの機能を付与するソフトウェアモジュール１２２０、及びカラーイメージャ１２３０を含んでいる。印刷システム１２１０は、ソフトウェア１２２０及びイメージャ１２３０と共に適合されて積層オブジェクトからの分離を処理するので、これらはＯＯＲタグおよびカラー値の少なくとも１つの制御によって結合されて描画された文書上に特殊効果を実現する。ソフトウェアモジュール１２２０は、特殊効果用のパラメータを決定するためにインタープリタ１２２５を含む。ソフトウェアモジュール１２２０は、文書のオリジナル・オブジェクト上に特殊効果用のオブジェクト・パラメータをオーバーレイするように適合され得る。ソフトウェアモジュール１２２０は、最上部のオブジェクトを最初にアドレス指定して意図するタグを有するランを作成することによって、特殊効果用のオブジェクト・パラメータ及び文書のオリジナル・オブジェクトを平坦化するようにも適合され得る。ソフトウェアモジュール１２２０は、特殊効果と共に使用するための意図するものを導入するようにも適合され得る。ソフトウェアモジュール１２２０はランを照合するようにも適合され得る。ソフトウェアモジュールは意図するタグと共にランを描画するようにも適合され得る。ソフトウェアモジュール１２２０は、MaskBox、MaskBitmap、MaskTrap、及びSetColorの少なくとも１つから選択されるパラメータを含む特殊効果用のパラメータを決定し、実行するようにも適合され得る。
【図面の簡単な説明】
【００３３】
【図１】図１は、セットオーバープリント又はセットオーバープリントモード機能とともに収集されたオブジェクトに対する透かし、グロスマーク、又は他のカスタム意図のタグを付加するために印刷システム内の実施の形態に従って実行できるステップを示す流れ図である。
【図２】図２は、アドビ社によるポストスクリプトのオペレータ、例えばセットオーバープリント及びセットオーバープリントモードとともに収集されるオブジェクトのための文書に対し透かし、グロスマーク、あるいは他のカスタム意図のタグを付加するための実施の形態によって実行することができるステップの流れ図である。
【図３】図３は、すべての分離が不透明であり、それぞれのランを有し、上部オブジェクトであるときにすべての別個の色が収集される、収集オブジェクトＡ乃至Ｃの通常の平坦化を示す一例のグラフである。
【図４】図４は、デバイスＮカラー・パラメータとともに収集される上部オブジェクトＢが、残りの別個の色を供給する下部のオブジェクトＡ及びＣを備えた分離色のサブセットのみを提供することを示す一例のグラフである。
【図５】図５は、「透明な」オブジェクトＢ（例えば、画像、グラフィックス、テキストなど）が他のオブジェクトタイプＡ及びＣの上に置かれる特別な場合が発生する一例を示すグラフである。
【図６】図６は、セットオーバープリントモード「透明」が文書上にテキスト「ＸＥＲＯＸ」を加えるために使用される一例を示す図である。
【図７】図７は、セットオーバープリントモード「透明な」テキストが付加された文書上に特殊効果として同一テキスト（「ＸＥＲＯＸ」）が示される一例を示す図である。
【図８】図８は、セットオーバープリントモード「透明」が、テキスト「ＸＥＲＯＸ」を付加するために再び使用される一例を示す図である。
【図９】図９は、セットオーバープリントモード「透明な」テキストが文書に加えられ、ＯＯＲタグへの変更に加えて、むしろカラー調整を含む、文書上の特殊効果として「ＸＥＲＯＸ」を示す図である。
【図１０】図１０は、セットオーバープリントモード「透明な」テキスト標準ＯＯＲタグが付加されているスポーツカーの写真である。
【図１１】図１１は、カスタム・プログラマブルタグが加えられたセットオーバープリントモード「透明な」テキストが結果として車の画像上若しくは画像内にテキスト「ＸＥＲＯＸ」を印刷することになる一例を示す図である。
【図１２】図１２は、本発明による方法を実行するためのシステム・アーキテクチャを示す図である。
【図１】
0004698535.tif 000005
【図２】
0004698535.tif 000006
【図１２】
0004698535.tif 000007
【図３】
0004698535.tif 000008
【図４】
0004698535.tif 000009
【図５】
0004698535.tif 000010
【図６】
0004698535.tif 000011
【図７】
0004698535.tif 000012
【図８】
0004698535.tif 000013
【図９】
0004698535.tif 000014
【図１０】
0004698535.tif 000015
【図１１】
0004698535.tif 000016